(57)【要約】【課題】自動車の各種電子機器の操作に用いられるスイッチ装置に関し、簡易な構成で、ケースのカバーに対する位置決めが確実で、スイッチ操作の良好なものを提供することを目的とする。【解決手段】ケース７下面から突出する略円柱状の突起部７Ｃと、この突起部７Ｃが傾いて嵌合するカバー１８のボス孔１８Ｅにおいて、ボス孔１８Ｅの上部に突起部７Ｃの一方の外側面に略平行な上支持面１８Ｆを設けると共に、この上支持面１８Ｆに対向する下部に突起部７Ｃの他方の外側面に略平行な下支持面１８Ｇを設け、突起部７Ｃが上支持面１８Ｆと下支持面１８Ｇに支持されてボス孔１８Ｅに嵌合して、カバー１８に対してケース７を位置決めする。【選択図】図１
2011243301.tif 000002
【特許請求の範囲】
【請求項１】
上面に開口が設けられると共に、下面に突出する略柱状の突起部が設けられた略箱状のケースと、前記ケースの前記開口から操作可能に突出した操作体と、この操作体の操作によって電気的接離が行われるスイッチ接点と、前記ケース下面を覆い、前記突起部に対し傾いて形成されると共に前記突起部が嵌合するボス孔を上面に設けたカバーからなり、前記ボス孔の上部に前記突起部の一方の外側面に略平行な上支持面を設けると共に、この上支持面に対向する下部に前記突起部の他方の外側面に平行な下支持面を設け、前記突起部が前記上支持面と前記下支持面に支持されて前記ボス孔に嵌合したスイッチ装置。
【発明の詳細な説明】
【技術分野】
【０００１】
本発明は、主に自動車内の各種電子機器の操作に用いられるスイッチ装置に関するものである。
【背景技術】
【０００２】
近年、自動車内のステアリングホイールに複数の操作体を備えたスイッチ装置を装着し、これによって車室内の音響や空調機器等の各種電子機器の操作を行うものが増えている。
【０００３】
このような従来のスイッチ装置について、図７〜図９を用いて説明する。
【０００４】
図７は従来のスイッチ装置の断面図、図８は同分解斜視図であり、同図において、１は絶縁樹脂製の保持体、２及び３は略箱状で絶縁樹脂製の操作体で、保持体１上面に中空筒部１Ａ及び１Ｂが設けられ、操作体２が軸孔２Ａと中空筒部１Ａ内側面の支軸１Ｃとの軸支によって揺動可能に、操作体３が中空筒部１Ｂに上下動可能に各々装着されている。
【０００５】
そして、４は上下面に複数の配線パターン（図示せず）が形成された配線基板で、この上面にはプッシュスイッチ等の複数のスイッチ接点５が実装され、スイッチ接点５上面から突出した操作部に、操作体２下面に突出した押圧部（図示せず）が押圧体６を介して、また、操作体３下面に突出した押圧部３Ａが各々当接している。
【０００６】
また、７は略箱状で絶縁樹脂製のケースで、上面に形成された開口７Ａ及び７Ｂから操作体２及び３が操作可能に突出すると共に、保持体１の上方を覆い、ケース７下面の前方には下方へ略円柱状の突起部７Ｃが、同じく後方の内側面には略板状のリブ７Ｄが各々突出している。
【０００７】
さらに、８は絶縁樹脂製のカバーで、通孔が略中央に形成された複数の取付部８Ａが設けられると共に、前端近傍には中空筒状の支持ボス８Ｃ及び後端近傍には切欠部８Ｄが各々設けられている。
【０００８】
そして、９はカバー８下面に対し所定角度傾斜して下方へ突出形成された略円柱状で先細形状の取付ピン、１０は同じく所定角度傾斜して下方へ突出し、先端に鉤部１０Ａが形成された係止部である。
【０００９】
また、ケース７のリブ７Ｄが保持体１の切欠部１Ｄ及びカバー８の切欠部８Ｄを挿通し、これらの左右方向の位置決めがされると共に、突起部７Ｃが保持体１の貫通孔１Ｅを挿通して先端部が支持ボス８Ｃのボス孔８Ｅに嵌合し、カバー８に対してケース１が位置決めされている。
【００１０】
さらに、複数の取付部８Ａを挿通したビス１１によって、配線基板４や保持体１及びケース７が締結固定されると共に、配線基板４に接続されたリード線（図示せず）等が外方へ延出して、スイッチ装置１２が構成されている。
【００１１】
そして、このようなスイッチ装置１２が、図６のステアリングの平面図に示すように、ケース７上面を手前にして、スポーク３０Ｃに取付けられてステアリング３０に装着されると共に、複数のスイッチ接点５等がリード線を介して、自動車の電子回路（図示せず）に電気的に接続される。
【００１２】
また、スイッチ装置１２をステアリング３０に装着する際には、図９のステアリングに装着状態の断面図に示すように、ステアリングホイール３０Ａ下方にこれに対し略平行に配設された金属製の基体部３０Ｄに対し、スイッチ装置１２のカバー８下面の取付ピン９が垂直に挿通すると共に、係止部１０の鉤部１０Ａが基体部３０Ｄ下面に係止されて、スポーク３０Ｃにスイッチ装置１２が位置決め及び抜け止めされて取付けられている。
【００１３】
以上の構成において、ステアリングホイール３０Ａを握りながら、例えば親指を伸ばし、スイッチ装置１２の操作体２や３を揺動又は押圧操作すると、押圧部３Ａ等を介して対応するスイッチ接点５の電気的接離が行われ、これに応じて車両の電子回路が各種機器の制御を行い、エアコンの設定温度の増減やオーディオの音量の増減が行われる。
【００１４】
なお、スイッチ装置１２は親指による操作を行い易いように、図９に示すように、ケース７上面や操作体２、３及びカバー８などを含む本体がステアリングホイール３０Ａや基体部３０Ｄに対し傾斜した状態で取付けられるが、カバー８下面に突出した取付ピン９や係止部１０は、基体部３０Ｄとの嵌合や係止を確実にするため、基体部３０Ｄに対し垂直に配置されている。
【００１５】
したがって、取付ピン９及び係止部１０がカバー８下面に対し所定角度傾斜して延出しているため、カバー８を樹脂成形する金型構造による制約上、ボス孔８Ｅもカバー８下面に対し同じく所定角度傾斜すると共に、上下方向に略同一内径の略円筒状に形成されている。
【００１６】
一方、ボス孔８Ｅに上方から嵌合するケース７の突起部７Ｃは、ケース７を樹脂成形する金型構造による制約上、ビス１１が螺合する雌ネジ部７Ｅの延出方向や開口７Ａ、７Ｂの形成方向と同様に、カバー８下面に対し直交方向に延出している。
【００１７】
このように、略円柱状の突起部７Ｃと略円筒状のボス孔８Ｅが互いに所定角度傾斜して配置されていることによって、図７に示すように、突起部７Ｃの先端左面がボス孔８Ｅの左側面の位置Ａに、突起部７Ｃの略中間の右側面がボス孔８Ｅの右先端の位置Ｂで各々点接触した当接状態で嵌合するため、突起部７Ｃの長さや突起部７Ｃの上下方向の位置により、カバー８に対して突起部７Ｃの左右方向への位置ずれが生じ易く、操作体２、３と開口７Ａ、７Ｂの周縁部との隙間に偏りや、擦れが生じる可能性があるものであった。
【００１８】
なお、この出願の発明に関連する先行技術文献情報としては、例えば、特許文献１が知られている。
【先行技術文献】
【特許文献】
【００１９】
【特許文献１】特開２００９−０８１０１６号公報
【発明の概要】
【発明が解決しようとする課題】
【００２０】
しかしながら、上記従来のスイッチ装置１２においては、ケース７の略円柱状の突起部７Ｃと略円筒状のボス孔８Ｅが互いに傾斜して配置されていることによって、突起部７Ｃが傾いてボス孔８Ｅ内に挿通し、ボス孔８Ｅの左右側面の２箇所に点接触して嵌合されるため、仕上がりや温湿度等の周囲環境による突起部７Ｃの長さや上下方向の位置の増減によって、ケース７のカバー８に対する位置ずれが生じ、操作体２、３が開口７Ａ、７Ｂ周縁部に接触して擦れが生じ易いという課題があった。
【００２１】
本発明は、このような従来の課題を解決するものであり、簡易な構成で、ケースのカバーに対する位置決めが確実で、スイッチ操作の良好なスイッチ装置を提供することを目的とする。
【課題を解決するための手段】
【００２２】
上記目的を達成するために本発明は、ケース下面から突出した略柱状の突起部と、この突起部が傾いて嵌合するカバーのボス孔において、ボス孔の上部に突起部の一方の外側面に略平行な上支持面を設けると共に、この上支持面に対向する下部に突起部の他方の外側面に略平行な下支持面を設け、突起部が上支持面と下支持面に支持されてボス孔に嵌合し、カバーに対してケースの位置決めされるようにして、スイッチ装置を構成したものであり、突起部の両外側面がボス孔の上支持面と下支持面とによって支持され嵌合するため、仕上がりや温湿度等の周囲環境による突起部の長さや上下方向の位置の増減による、突起部とボス孔との左右方向の位置ずれが生じ難く、ケースのカバーに対する位置決めが確実で、操作体と開口周縁部との接触による擦れ等が生じ難く、スイッチ操作の良好なスイッチ装置を得ることができるという作用を有する。
【発明の効果】
【００２３】
以上のように本発明によれば、簡易な構成で、ケースのカバーに対する位置決めが確実で、スイッチ操作の良好なスイッチ装置を実現できるという有利な効果が得られる。
【図面の簡単な説明】
【００２４】
【図１】本発明の一実施の形態によるスイッチ装置の断面図
【図２】同分解斜視図
【図３】同要部拡大断面図
【図４】同要部の金型構造の説明図
【図５】同ステアリングに装着状態の断面図
【図６】ステアリング平面図
【図７】従来のスイッチ装置の断面図
【図８】同分解斜視図
【図９】同ステアリングに装着状態の断面図
【発明を実施するための形態】
【００２５】
以下、本発明の実施の形態について、図１〜図６を用いて説明する。
【００２６】
なお、背景技術の項で説明した構成と同一構成の部分には同一符号を付して、詳細な説明を簡略化する。
【００２７】
（実施の形態）
図１は本発明の一実施の形態による断面図、図２は同分解斜視図であり、同図において、１はＡＢＳ等の絶縁樹脂製の保持体、２及び３は略箱状でポリカーボネート等の絶縁樹脂製の操作体で、保持体１上面に中空筒部１Ａ及び１Ｂが設けられ、操作体２の軸孔２Ａが中空筒部１Ａ内側面の支軸１Ｃに軸支されて、操作体２が中空筒部１Ａに揺動可能に装着されると共に、操作体３が中空筒部１Ｂに上下動可能に装着されている。
【００２８】
そして、４は上下面に複数の配線パターン（図示せず）が形成された配線基板で、これらの上面にはプッシュスイッチ等の複数のスイッチ接点５が実装され、スイッチ接点５上面から突出した操作部に、操作体２下面に突出した押圧部（図示せず）が押圧体６を介して、また、操作体３下面に突出した押圧部３Ａが各々当接している。
【００２９】
また、７は略箱状でポリカーボネートやＡＢＳ等の絶縁樹脂製のケースで、上面に形成された開口７Ａ及び７Ｂから操作体２及び３が操作可能に突出すると共に、保持体１の上方を覆い、ケース７下面の前方には下方へ上下方向に同一外径の略円柱状の突起部７Ｃが、同じく後方の内側面には略板状のリブ７Ｄが各々突出している。
【００３０】
さらに、１８はポリブチレンテレフタレート等の絶縁樹脂製のカバーで、通孔が略中央に形成された複数の取付部１８Ａが設けられると共に、前端近傍には中央にボス孔１８Ｅが設けられた中空筒状の支持ボス１８Ｃや、後端近傍には切欠部１８Ｄが各々設けられている。
【００３１】
そして、１９はカバー１８下面に対し所定角度傾斜して下方へ突出形成された略円柱状で先細形状の取付ピン、２０は同じく所定角度傾斜して下方へ突出し、先端に鉤部２０Ａが形成された係止部である。
【００３２】
なお、ボス孔１８Ｅには、図３の要部拡大断面図に示すように、突起部７Ｃの先端部より上方の右側面が支持された上支持面１８Ｆと、突起部７Ｃの先端部の左側面が支持された下支持面１８Ｇが各々形成されると共に、下支持面１８Ｇの上方には左方向へ拡がる傾斜面１８Ｈが、上支持面１８Ｆの下方には右方向へ拡がる傾斜面１８Ｊが各々形成され、前後方向の内側面は突起部７Ｃの外径より僅かに大きい幅で対向して形成されている。
【００３３】
したがって、ボス孔１８Ｅは上面視が略円形で、下面視が左右方向に伸びた略小判形状となっている。
【００３４】
ここで、このようなカバー１８を樹脂成形する際の金型構成について、支持ボス１８Ｃや取付ピン１９近傍を主体に概略説明すると、図４（ａ）の樹脂成形時の要部断面図に示すように、４０はカバー１８の下面を成形する下型で、取付ピン１９を成形する凹状の型部４０Ａが垂直方向に形成されると共に、上面の傾斜面にボス孔１８Ｅの下支持面１８Ｇ及び傾斜面１８Ｊを成形する型部４０Ｂが突出形成されている。
【００３５】
また、４１はカバー１８の上面を成形する上型で、支持ボス１８Ｃの外形や上支持面１８Ｆ及び傾斜面１８Ｈを成形する型部４１Ａが凹状に形成されている。
【００３６】
そして、先ず、下型４０に対し上型４１が上方へ離れた状態から、上型が垂直方向へ下降して、図４（ｂ）に示すように、型部４０Ｂの上面４０Ｃに型部４１Ａの下面４１Ｂが当接した状態となる。
【００３７】
次に、上型４１と下型４０の間に所定の絶縁樹脂が充填されると、所定時間後、上型４１が下型４０から上方へ離れて、下面に取付ピン１９や係止部２０が形成されると共に、支持ボス１８Ｃ等が形成されたカバー１８が樹脂成形される。
【００３８】
つまり、下支持面１８Ｇ及び上支持面１８Ｆを突起部７Ｃの左側面及び右側面に各々平行な面、すなわちカバー１８の下面と略直交方向に形成し、傾斜面１８Ｈ、１８Ｊを取付ピン１９の延出方向とほぼ同一かもしくはやや外方へ拡がるように形成しているため、上述したような下型４０に対し上型４１を上下方向に移動するような簡易な金型構成で、カバー１８が樹脂成形可能となっている。
【００３９】
そして、ケース７のリブ７Ｄが保持体１の切欠部１Ｄ及びカバー１８の切欠部１８Ｄを挿通し、これらの左右方向の位置決めがされると共に、突起部７Ｃが貫通孔１Ｅを挿通して先端部が支持ボス１８Ｃのボス孔１８Ｅに嵌合して、カバー１８に対しケース７が位置決めされている。
【００４０】
また、複数の取付部１８Ａを挿通したビス１１が、ケース７の雌ネジ部７Ｅに締結されることよって、配線基板４や保持体１及びケース７が固定されると共に、配線基板４に接続されたリード線（図示せず）等が外方へ延出して、スイッチ装置２２が構成されている。
【００４１】
このようなスイッチ装置２２は、図６のステアリングの平面図に示すように、ケース７上面を手前にして、ステアリングホイール３０Ａと中央のエアーバッグ等を内蔵したパッド３０Ｂの間の、スポーク３０Ｃに取付けられてステアリング３０に装着されると共に、複数のスイッチ接点５等がリード線を介して、自動車の電子回路（図示せず）に電気的に接続される。
【００４２】
また、スイッチ装置２２をステアリング３０に装着する際には、図５のステアリングに装着状態の断面図に示すように、ステアリングホイール３０Ａ下方にこれに対し略平行に配設された金属製の基体部３０Ｄの貫通孔３０Ｅに、スイッチ装置２２のカバー１８下面の取付ピン１９が垂直に挿通すると共に、貫通孔３０Ｆを挿通した係止部２０の鉤部２０Ａが基体部３０Ｄ下面に係止されて、スポーク３０Ｃにスイッチ装置２２が位置決め及び抜け止めされて取付けられている。
【００４３】
以上の構成において、ステアリング３０を握りながら、例えば親指を伸ばし、スイッチ装置２２の操作体２や３を揺動又は押圧操作すると、押圧部３Ａ等を介して対応するスイッチ接点５の電気的接離が行われ、これに応じて車両の電子回路が各種機器の制御を行い、エアコンの設定温度の増減やオーディオの音量の増減が行われる。
【００４４】
なお、スイッチ装置２２は親指による操作が行い易いように、図５に示すように、ケース７上面や操作体２、３及びカバー１８などを含む本体がステアリングホイール３０Ａや基体部３０Ｄに対し傾斜した状態で取付けられている。
【００４５】
一方、カバー１８下面の直交方向に対し所定角度傾斜した取付ピン１９や係止部２０は、基体部３０Ｄに対し垂直方向に配置されて、基体部３０Ｄに嵌合や係止されるため、スイッチ装置２２がステアリング３０に確実に位置決めされて装着されている。
【００４６】
そして、ケース７の突起部７Ｃはボス孔１８Ｅの上支持面１８Ｆと対向する下支持面１８Ｇによって両外側面を支持されてボス孔１８Ｅに嵌合しているため、仕上がりや温湿度等の周囲環境による突起部７Ｃの長さや上下方向の位置の増減が生じた場合でも、突起部７Ｃの両外側面が上支持面１８Ｆと下支持面１８Ｇに支持され、突起部７Ｃが上下方向へ変位するのみで、左右方向への位置ずれは生じ難くなっている。
【００４７】
このように、本実施の形態によれば、ケース７下面から突出する略円柱状の突起部７Ｃと、この突起部７Ｃが傾いて嵌合するカバー１８のボス孔１８Ｅにおいて、ボス孔１８Ｅの上部に突起部７Ｃの一方の外側面に略平行な上支持面１８Ｆを設けると共に、この上支持面１８Ｆに対向する下部に突起部７Ｃの他方の外側面に略平行な下支持面１８Ｇを設け、突起部７Ｃが上支持面１８Ｆと下支持面１８Ｇに支持されてボス孔１８Ｅに嵌合し、カバー１８に対してケース７が位置決めされるようにして、スイッチ装置２２を構成することにより、カバー１８の金型構造も簡易なものにすることができると共に、突起部７Ｃの両外側面がボス孔１８Ｅの上支持面１８Ｆと下支持面１８Ｇとによって支持され嵌合するため、仕上がりや温湿度等の周囲環境による突起部７Ｃの長さや上下方向の位置の増減による、突起部７Ｃとボス孔１８Ｅとの左右方向の位置ずれが生じ難く、ケース７のカバー１８に対する位置決めが確実で、操作体２、３と開口７Ａ、７Ｂ周縁部との接触による擦れ等が生じ難く、スイッチ操作の良好なスイッチ装置を得ることができる。
【００４８】
なお、以上の説明では、略円柱状の突起部７Ｃを略円形状のボス孔１８Ｅに嵌合させる構成として説明したが、突起部を例えば断面十字状で上下方向に略同一幅の略柱状に形成して、この突起部を略矩形状のボス孔に嵌合させる構成として、このボス孔に突起部の両外側面を支持する上支持面と下支持面を設けても、本発明の実施は可能である。
【産業上の利用可能性】
【００４９】
本発明によるスイッチ装置は、簡易な構成で、ケースのカバーに対する位置決めが確実で、スイッチ操作の良好なスイッチ装置を実現することができ、自動車内の各種電子機器の操作に用いられるスイッチ装置に有用である。
【符号の説明】
【００５０】
１  保持体
１Ａ、１Ｂ  中空筒部
１Ｃ  支軸
１Ｄ、１８Ｄ  切欠部
１Ｅ  通孔
２、３  操作体
２Ａ  軸孔
３Ａ  押圧部
４  配線基板
５  スイッチ接点
６  押圧体
７  ケース
７Ａ、７Ｂ  開口
７Ｃ  突起部
７Ｄ  リブ
７Ｅ  雌ネジ部
１１  ビス
１８  カバー
１８Ａ  取付部
１８Ｃ  支持ボス
１８Ｅ  ボス孔
１８Ｆ  上支持面
１８Ｇ  下支持面
１８Ｈ、１８Ｊ  傾斜面
１９  取付ピン
２０  係止部
２０Ａ  鉤部
２２  スイッチ装置
３０  ステアリング
３０Ａ  ステアリングホイール
３０Ｂ  パッド
３０Ｃ  スポーク
３０Ｄ  基体部
３０Ｅ、３０Ｆ  貫通孔
４０  下型
４０Ａ、４０Ｂ、４１Ａ  型部
４０Ｃ  上面
４１  上型
４１Ｂ  下面
【図１】
2011243301.tif 000003
【図２】
2011243301.tif 000004
【図３】
2011243301.tif 000005
【図４】
2011243301.tif 000006
【図５】
2011243301.tif 000007
【図６】
2011243301.tif 000008
【図７】
2011243301.tif 000009
【図８】
2011243301.tif 000010
【図９】
2011243301.tif 000011